(57)【要約】【課題】  地色層の色相に関係なく、自然な視覚的立体感を得ることができる文字盤を提供する。【解決手段】  板状の生地１１と、前記生地１１に設けられた地色層１２と、前記地色層１２よりも観者側に設けられ、周縁がグラディエーションとなる第１グラディエーション層１３と、前記第１グラディエーション層１３よりも前記観者側に設けられ、前記第１グラディエーション層１３における周縁の一部を前記観者に対して隠蔽し、かつ、周縁がグラディエーションとなる第２グラディエーション層１４とを備え、前記第１グラディエーション１３が前記地色層１２よりも淡色であるとともに、前記第２グラディエーション層１４が前記地色層１２および前記第１グラディエーション層１３よりも暗色である。【選択図】  図２
2006017512.tif 000002
【特許請求の範囲】
【請求項１】
板状の生地と、前記生地に設けられた地色層と、前記地色層よりも観者側に設けられ、周縁がグラディエーションとなる第１グラディエーション層と、前記第１グラディエーション層よりも前記観者側に設けられ、前記第１グラディエーション層における周縁の一部を前記観者に対して隠蔽し、且つ、周縁がグラディエーションとなる第２グラディエーション層とを備え、
前記第１グラディエーション層が前記地色層よりも淡色であるとともに、前記第２グラディエーション層が前記地色層および前記第１グラディエーション層よりも暗色であることを特徴とする文字盤。
【請求項２】
前記地色層、前記第１グラディエーション層および前記第２グラディエーション層が前記生地における前記観者に対面する表面に設けられていることを特徴とする請求項１に記載の文字盤。
【発明の詳細な説明】
【技術分野】
【０００１】
本発明は、例えば自動車等の回転アナログ式メータの文字盤に関する。
【背景技術】
【０００２】
回転アナログ式の自動車用メータ文字盤は、板状の生地に地色層が設けられ、前記地色層には回転指針の先端の軌跡に対応して表示目盛や数字等の表示部が設けられている。
ところで、文字盤には視覚的な立体感と高品質感が求められており、その一例を図６及び図７に示す（例えば特許文献１参照）。
この文字盤は、板状の生地１の表面に地色層２を形成し、この地色層２の表面に目盛、数字、記号等の表示部３を除いてグラディエーション層５を形成している。
【０００３】
そして、図６に示すように、このグラディエーション層５を同心的又は偏心的な複数の表示領域Ａ、Ｂ、Ｃに区分して、表示領域Ａには斜め左上から斜め右下にかけて明度が徐々に暗変化する第１のグラディエーション５ａを、表示領域Ｂには斜め左上から斜め右下にかけて明度が徐々に明変化する第２のグラディエーション５ｂを、表示領域Ｃには斜め左上から斜め右下にかけて明度が徐々に暗変化する第１のグラディエーション５ａを施しており、これにより、文字板の指針回動領域内において同心的又は偏心的な凹凸が形成されているような視覚的立体感を得ることができる。
【特許文献１】特開平１１−１１９６６２号公報
【発明の開示】
【発明が解決しようとする課題】
【０００４】
しかしながら、上記特許文献１は、地色層２（例えばグレー）に対して濃色（黒、紺等）のグラディエーション層５を設ける場合には良好な視覚的立体感を得ることができるが、地色層２が淡色（白、ベージュ、水色、黄色等）の場合、もともとが明るい淡色の地色層２に対して濃色でグラディエーション層５を設けると、明度の差が激しくなるために、暗部分（陰部分）が強調されて妙に目立ち、自然な立体感が得られない。
【０００５】
本発明は、前述した問題点に鑑みてなされたものであり、その目的は、地色層の色相に関係なく、自然な視覚的立体感を得ることができる文字盤を提供することにある。
【課題を解決するための手段】
【０００６】
１）前述した目的を達成するために、本発明は、板状の生地と、前記生地に設けられた地色層と、前記地色層よりも観者側に設けられ、周縁がグラディエーションとなる第１グラディエーション層と、前記第１グラディエーション層よりも前記観者側に設けられ、前記第１グラディエーション層における周縁の一部を前記観者に対して隠蔽し、かつ、周縁がグラディエーションとなる第２グラディエーション層とを備え、
前記第１グラディエーション層が前記地色層よりも淡色であるとともに、前記第２グラディエーション層が前記地色層および前記第１グラディエーション層よりも暗色であることを特徴としている。
【０００７】
このように構成された文字盤においては、地色層よりも観者側に、前記地色層よりも淡色で周縁がグラディエーションとなる第１グラディエーション層を設け、前記第１グラディエーション層よりも前記観者側に、前記地色層および前記第１グラディエーション層よりも暗色で周縁がグラディエーションとなる第２グラディエーション層を前記第１グラディエーション層における周縁の一部を前記観者に対して隠蔽するように設けているので、地色層の色相に関係なく、自然な視覚的立体感を得ることができる。
【０００８】
２）また、本発明は、前記地色層、前記第１グラディエーション層および前記第２グラディエーション層が前記生地における前記観者に対面する表面に設けられていることを特徴としている。
【０００９】
このように構成された文字盤においては、照射型の文字盤とすることができるので、製造が容易でコストを低くすることができる。
【発明の効果】
【００１０】
本発明によれば、地色層の色相に関係なく、自然な視覚的立体感を得ることができる文字盤を提供することができる。
【発明を実施するための最良の形態】
【００１１】
以下、本発明に係る実施形態を図面に基づいて詳細に説明する。図１は本発明に係る第１実施形態である自動車用メータ文字盤を示す図、図２は第１グラディエーション層と第２グラディエーション層とを模式的に示した図、図３は図２のＡ−Ａ線断面を模式的に示した図、図４は第１グラディエーション層と第２グラディエーション層とを模式的に示した断面図、図５は本発明に係る第２実施形態である自動車用メータ文字盤を示す模式的断面図である。
【００１２】
図１〜図４に示すように、本発明の第１実施形態である自動車用メータ文字盤１０は、例えばポリカーボネート等の透明な板状の生地１１の観者に対面する表面側全面に淡色（例えばベージュ等）で、かつ、透光性のない地色層１２が設けられ、地色層１２には回転指針の先端の軌跡に対応して表示目盛や数字等の表示部１５が設けられている。
【００１３】
地色層１２の回転指針の貫通穴１６の周囲には、周縁がグラディエーションとなる帯状の二重円とされた第１グラディエーション層１３が設けられ、第１グラディエーション層１３よりも観者側には、第１グラディエーション層１３における周縁の一部を観者に対して隠蔽し、かつ、周縁がグラディエーションとなる第２グラディエーション層１４が設けられている。
なお、第１グラディエーション層１３および第２グラディエーション層１４は、図４に示すように、第２グラディエーション層１４による第１グラディエーション層１３の隠蔽部を境にして、互いに離れる方向に粒径や間隔を変えることで次第にドットが粗くなっている。また、各層１２，１３，１４は印刷や転写（例えばシール等）により設けられている。
【００１４】
ここで、本実施形態では、第１グラディエーション層１３が地色層１２よりも淡色な例えば白系色とされているとともに、第２グラディエーション層１４が地色層１２および第１グラディエーション層１３よりも暗色な茶系色とされている。
【００１５】
これにより、文字盤１０に光を照射することで、観者に対して図２に示すような二重クレーター状の視覚的な自然な立体感（凹凸感、奥行段差感）を持たせることができ、この場合、地色層１２が段差の底部、第１グラディエーション層１３が段差の頂部、第２グラディエーション層１４が陰影部として表現される。
【００１６】
このように本実施形態では、地色層１２よりも観者側に、地色層１２よりも淡色で周縁がグラディエーションとなる第１グラディエーション層１３を設け、第１グラディエーション層１３よりも観者側に、地色層１２および第１グラディエーション層１３よりも暗色で周縁がグラディエーションとなる第２グラディエーション層１４を第１グラディエーション層１３における周縁の一部を観者に対して隠蔽するように設けているので、地色層１２の色相（様々な色彩、輝度、明度）に関係なく、自然な視覚的立体感を得ることができる。
【００１７】
また、地色層１２、第１グラディエーション層１３および第２グラディエーション層１４が生地１１における観者に対面する表面に設けられる照射型の文字盤１０とされているので、製造が容易でコストを低くすることができる。
なお、本発明の文字盤は、前述した実施形態に限定されるものでなく、適宜な変形，改良等が可能である。  
【００１８】
例えば、前述した実施形態では、照射型の文字盤に本発明を適用した場合を例に採ったが、例えば図５に示すように、地色層１２を透光性として、地色層１２、第１グラディエーション層１３および第２グラディエーション層１４を生地１１における観者に対面する裏面に設ける透過型の文字盤２０としてもよく、あるいは、透過型の文字盤で、地色層１２、第１グラディエーション層１３および第２グラディエーション層１４を生地１１の表裏面に分けて設けるようにしてもよい。なお、図４で符号２１はつや消し層である。
【００１９】
また、前述した実施形態では、自動車用メータ文字盤に本発明を適用した場合を例に採ったが、これに限定されず、燃料計又は水温計等の文字盤に本発明を適用にてもよい。
その他、前述した実施形態において例示した生地、地色層、第１グラディエーション層、第２グラディエーション層等の材質，形状，寸法，形態，数，配置個所等は本発明を達成できるものであれば任意であり、限定されない。
【図面の簡単な説明】
【００２０】
【図１】本発明に係る第１実施形態である自動車用メータ文字盤を示す図である。
【図２】第１グラディエーション層と第２グラディエーション層とを模式的に示した図である。
【図３】図２のＡ−Ａ線断面を模式的に示した図である。
【図４】第１グラディエーション層と第２グラディエーション層とを模式的に示した断面図である。
【図５】本発明に係る第２実施形態である自動車用メータ文字盤を示す模式的断面図である。
【図６】従来の自動車用メータ文字盤を示す図である。
【図７】図６の断面図である。
【符号の説明】
【００２１】
１０  自動車用メータ文字盤
１１  生地
１２  地色層
１３  第１グラディエーション層
１４  第２グラディエーション層
【図１】
2006017512.tif 000003
【図２】
2006017512.tif 000004
【図３】
2006017512.tif 000005
【図４】
2006017512.tif 000006
【図５】
2006017512.tif 000007
【図６】
2006017512.tif 000008
【図７】
2006017512.tif 000009